(57)【要約】【課題】簡単な操作で所望の状態情報を迅速かつ詳細に確認する。【解決手段】制御部１１のデータ表示手段１１Ａで、報知した警報に対する確認指示に応じて、当該警報が発生した状態情報のうち、その警報発生の時点を含む所定期間の近傍状態情報を記憶部１３から読み出して表示出力する。また、データ表示手段１１Ａで、管理ポイントおよび対象日を指定した表示要求に応じて、当該管理ポイントから対象日に収集された状態情報を記憶部１３から読み出し、グラフとして表示出力するとともに、グラフ表示した状態情報の詳細表示の時点を選択する選択指示に応じて、当該時点を含む前後期間の近傍状態情報を記憶部１３から読み出し表示出力する。【選択図】        図１
2004341598.tif 000002
【特許請求の範囲】
【請求項１】
施設に設けられた複数の管理ポイントから通信ネットワークを介して順次収集した各種状態情報を監視するとともに記憶部に記憶し、前記状態情報のいずれかが異常を示す場合は警報を報知する制御部を備える施設管理装置において、
前記制御部は、
報知した前記警報に対する確認指示に応じて、当該警報が発生した状態情報のうち、その警報発生の時点を含む所定期間の近傍状態情報を前記記憶部から読み出して表示出力するデータ表示手段を有することを特徴とする施設管理装置。
【請求項２】
施設に設けられた複数の管理ポイントから通信ネットワークを介して順次収集した各種状態情報を監視するとともに記憶部に記憶し、前記状態情報のいずれかが異常を示す場合は警報を報知する制御部を備える施設管理装置において、
前記制御部は、
管理ポイントおよび対象日を指定した表示要求に応じて、当該管理ポイントから前記対象日に収集された状態情報を前記記憶部から読み出し、グラフとして表示出力するとともに、グラフ表示した前記状態情報の詳細表示の時点を選択する選択指示に応じて、当該時点を含む所定期間の近傍状態情報を前記記憶部から読み出し表示出力するデータ表示手段を有することを特徴とする施設管理装置。
【請求項３】
請求項１または２において、
前記データ表示手段は、前記近傍状態情報を表示する際、前記状態情報のうち、当該時点の時刻における分単位の分データと、当該時点の前後時刻における分単位の分データとを、表示出力することを特徴とする施設管理装置。
【請求項４】
請求項３において、
前記データ表示手段は、表示出力した前記分データのうちの任意の分データに対する選択操作に応じて、前記状態情報のうち、選択された前記分データの当該時分における秒単位の秒データと、当該時分の前後分における秒データとを表示出力することを特徴とする施設管理装置。
【請求項５】
施設に設けられた複数の管理ポイントから通信ネットワークを介して順次収集した各種状態情報を監視するとともに記憶部に記憶し、前記状態情報のいずれかが異常を示す場合は警報を報知する制御部を備える施設管理装置で用いられる施設管理方法において、
前記制御部で、報知した前記警報に対する確認操作に応じて、当該異常が発生した状態情報のうち、その異常発生の時点を含む所定期間の近傍状態情報を前記記憶部から読み出して表示出力するステップを実行することを特徴とする施設管理方法。
【請求項６】
施設に設けられた複数の管理ポイントから通信ネットワークを介して順次収集した各種状態情報を監視するとともに記憶部に記憶し、前記状態情報のいずれかが異常を示す場合は警報を報知する制御部を備える施設管理装置で用いられる施設管理方法において、
前記制御部で、管理ポイントおよび対象日を指定した表示要求に応じて、当該管理ポイントから前記対象日に収集された状態情報を前記記憶部から読み出し、グラフとして表示出力するステップと、グラフ表示された前記状態情報の詳細表示の時点を選択する選択操作に応じて、当該時点を含む所定期間の近傍状態情報を前記記憶部から読み出し表示出力するステップとを実行することを特徴とする施設管理方法。
【請求項７】
施設に設けられた複数の管理ポイントから通信ネットワークを介して順次収集した各種状態情報を監視するとともに記憶部に記憶し、前記状態情報のいずれかが異常を示す場合は警報を報知する施設管理装置のコンピュータで、
報知した前記警報に対する確認操作に応じて、当該異常が発生した状態情報のうち、その異常発生の時点を含む所定期間の近傍状態情報を前記記憶部から読み出して表示出力するステップを実行させることを特徴とするプログラム。
【請求項８】
施設に設けられた複数の管理ポイントから通信ネットワークを介して順次収集した各種状態情報を監視するとともに記憶部に記憶し、前記状態情報のいずれかが異常を示す場合は警報を報知する施設管理装置のコンピュータで、
管理ポイントおよび対象日を指定した表示要求に応じて、当該管理ポイントから前記対象日に収集された状態情報を前記記憶部から読み出し、グラフとして表示出力するステップと、グラフ表示された前記状態情報の詳細表示の時点を選択する選択操作に応じて、当該表示時点を含む所定期間の近傍状態情報を前記記憶部から読み出し表示出力するステップとを実行させることを特徴とするプログラム。
【発明の詳細な説明】
【０００１】
【発明の属する技術分野】
本発明は、施設管理装置に関し、特に施設管理装置、方法、およびプログラムに関し、特に施設に設けられた複数の管理ポイントからの状態情報を通信ネットワークを介して情報収集し、収集した状態情報に基づき施設を管理する施設管理装置、方法、およびプログラムに関するものである。
【０００２】
【従来の技術】
一般に、インテリジェントビル、複合商業施設、集合住宅、病院、工場などの施設においては、各種の設備が多数配置され、運転されている。通常、このような施設では、施設内に設けられた複数の管理ポイントからの状態情報を通信ネットワークを介して施設管理装置で情報収集し、収集した状態情報に基づき施設全体を管理している。
例えば、収集した状態情報が「警報」を示す場合には、ブザーなどを鳴動させるとともに、その状態情報をプリンタへ出力し、警報が発生した日時や警報が回復した日時、警報の名称などを表示することにより履歴情報を確認するものとなっていた。
【０００３】
このような施設管理装置では、収集した多くの状態情報から所望の情報を検索する機能として、時系列で画面表示された複数の情報から警報情報を日付単位で検索したり、データ区分により所望の情報を抽出するものとなっていた（例えば、特許文献１など参照）
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開２００２−１８９５１５号公報
【０００６】
【発明が解決しようとする課題】
しかしながら、このような従来の施設管理装置では、警報発生時など所望時点における状態情報の時系列変化を確認する際、操作が煩雑で所望の状態情報を迅速に確認できないという問題点があった。例えば、従来の施設管理装置では、警報発生時にその瞬時のデータしか表示されないため、警報発生時の状態情報を確認する際、その警報発生時点の前後の期間を指定して所望の状態情報を検索し、あるいは所定のデータ区分により警報発生に関係する状態情報を抽出するなど、各種オペレーション操作を行って所望の状態情報を表示させる必要があり、操作が煩雑で迅速に確認できない。
本発明はこのような課題を解決するためのものであり、簡単な操作で所望の状態情報を迅速かつ詳細に確認できる施設管理装置を提供することを目的としている。
【０００７】
【課題を解決するための手段】
このような目的を達成するために、本発明にかかる施設管理装置は、施設に設けられた複数の管理ポイントから通信ネットワークを介して順次収集した各種状態情報を監視するとともに記憶部に記憶し、状態情報のいずれかが異常を示す場合は警報を報知する制御部を備える施設管理装置において、制御部に、報知した警報に対する確認指示に応じて、当該警報が発生した状態情報のうち、その警報発生の時点を含む所定期間の近傍状態情報を記憶部から読み出して表示出力するデータ表示手段を有するものである。
【０００８】
また、本発明にかかる他の施設管理装置は、施設に設けられた複数の管理ポイントから通信ネットワークを介して順次収集した各種状態情報を監視するとともに記憶部に記憶し、状態情報のいずれかが異常を示す場合は警報を報知する制御部を備える施設管理装置において、制御部に、管理ポイントおよび対象日を指定した表示要求に応じて、当該管理ポイントから対象日に収集された状態情報を記憶部から読み出し、グラフとして表示出力するとともに、グラフ表示した状態情報の詳細表示の時点を選択する選択指示に応じて、当該時点を含む所定期間の近傍状態情報を記憶部から読み出し表示出力するデータ表示手段を有するものである。
【０００９】
データ表示手段で、近傍状態情報を表示する際、状態情報のうち、当該時点の時刻における分単位の分データと、当該時点の前後時刻における分単位の分データとを、表示出力するようにしてもよい。
データ表示手段で、表示出力した分データのうちの任意の分データに対する選択操作に応じて、状態情報のうち、選択された分データの当該時分における秒単位の秒データと、当該時分の前後分における秒データとを表示出力するようにしてもよい。
【００１０】
本発明にかかる施設管理方法は、施設に設けられた複数の管理ポイントから通信ネットワークを介して順次収集した各種状態情報を監視するとともに記憶部に記憶し、状態情報のいずれかが異常を示す場合は警報を報知する制御部を備える施設管理装置で用いられる施設管理方法において、
制御部で、報知した警報に対する確認操作に応じて、当該異常が発生した状態情報のうち、その異常発生の時点を含む所定期間の近傍状態情報を記憶部から読み出して表示出力するステップを実行するようにしたものである。
【００１１】
本発明にかかる他の施設管理方法は、施設に設けられた複数の管理ポイントから通信ネットワークを介して順次収集した各種状態情報を監視するとともに記憶部に記憶し、状態情報のいずれかが異常を示す場合は警報を報知する制御部を備える施設管理装置で用いられる施設管理方法において、制御部で、管理ポイントおよび対象日を指定した表示要求に応じて、当該管理ポイントから対象日に収集された状態情報を記憶部から読み出し、グラフとして表示出力するステップと、グラフ表示された状態情報の詳細表示の時点を選択する選択操作に応じて、当該時点を含む所定期間の近傍状態情報を記憶部から読み出し表示出力するステップとを実行するようにしたものである。
【００１２】
また、本発明にかかるプログラムは、施設に設けられた複数の管理ポイントから通信ネットワークを介して順次収集した各種状態情報を監視するとともに記憶部に記憶し、状態情報のいずれかが異常を示す場合は警報を報知する施設管理装置のコンピュータで、報知した警報に対する確認操作に応じて、当該異常が発生した状態情報のうち、その異常発生の時点を含む所定期間の近傍状態情報を記憶部から読み出して表示出力するステップを実行させるようにしたものである。
【００１３】
また、本発明にかかる他のプログラムは、施設に設けられた複数の管理ポイントから通信ネットワークを介して順次収集した各種状態情報を監視するとともに記憶部に記憶し、状態情報のいずれかが異常を示す場合は警報を報知する施設管理装置のコンピュータで、管理ポイントおよび対象日を指定した表示要求に応じて、当該管理ポイントから対象日に収集された状態情報を記憶部から読み出し、グラフとして表示出力するステップと、グラフ表示された状態情報の詳細表示の時点を選択する選択操作に応じて、当該表示時点を含む所定期間の近傍状態情報を記憶部から読み出し表示出力するステップとを実行させるようにしたものである。
【００１４】
【発明の実施の形態】
次に、本発明の実施の形態について図面を参照して説明する。
まず、図１を参照して、本発明の一実施の形態にかかる施設管理装置について説明する。図１は本発明の一実施の形態にかかる施設管理装置が用いられる設備系システムを示す構成図である。
この設備系システムは、通信ネットワーク３を介して各設備２が施設管理装置１と接続されている。また、通信ネットワーク５を介して各端末４が施設管理装置１と接続されている。
【００１５】
施設管理装置１は、全体としてサーバ装置などのコンピュータからなり、通信ネットワーク３を介して設備２とデータ通信を行うことにより設備２（管理ポイント）から状態情報を収集し、これを画面表示することにより各設備の集中管理を行う。通信ネットワーク５を介して端末４とデータ通信を行うことにより、所望の情報を端末４へ配信する。
施設管理装置１には、制御部１１、通信インターフェース部（以下、通信Ｉ／Ｆ部という）１２、記憶部１３、操作入力部１４、画面表示部１５、音声出力部１６、および通信インターフェース部（以下、通信Ｉ／Ｆ部という）１７が設けられている。
【００１６】
制御部１１は、施設管理装置１の各部を制御するＣＰＵなどのマイクロプロセッサとその周辺回路から構成されており、記憶部１３に予め格納されているプログラム１３Ａを読み込んで起動することにより、ハードウェアとソフトウェアの協動により各種機能を実現する。
なお、プログラム１３Ａについては、記録媒体に記録されたプログラムを予め読み込んで記憶部１３へ格納してもよく、他の装置に格納されているプログラムを予め通信ネットワーク５を介して読み込んで記憶部１３へ格納してもよい。
【００１７】
制御部１１には、各種機能を実現する手段として、データ表示手段１１Ａ、データ抽出手段１１Ｂ、およびデータ収集手段１１Ｃが設けられている。
データ表示手段１１Ａは、記憶部１３に記憶されている状態情報を画面表示部１５から表示出力する。データ抽出手段１１Ｂは、記憶部１３に記憶されている状態情報から所望の状態情報のみを抽出する。データ収集手段１１Ｃは、通信Ｉ／Ｆ部１２および通信ネットワーク３を介して各設備２とデータ通信を行うことにより状態情報を収集する。
【００１８】
通信Ｉ／Ｆ部１２は、通信ネットワーク３を介して各設備２とデータ通信を行う。記憶部１３はハードディスクなどの記憶装置からなり、制御部１１で実行されるプログラム１３Ａのほか、各設備２から収集した状態情報や関連情報などの各種情報を記憶する。操作入力部１４はキーボードやマウスなどからなり管理者の操作入力を検出し制御部１１へ出力する。画面表示部１５はＣＲＴディスプレイなどの画面表示装置からなり、データ表示手段１１Ａからの各種情報を画面表示する。音声出力部１６は警報音やプリンタ印字擬似音、さらには音声メッセージなどを出力する。
【００１９】
次に、図２を参照して、本発明の第１の実施の形態にかかる施設管理装置の動作について説明する。図２は、第１の実施の形態にかかる施設管理装置のデータ表示処理を示すフローチャートである。
制御部１１のデータ表示手段１１Ａは、データ収集手段１１Ｃを用いて、通信ネットワーク３を介して各設備２から各管理ポイントの各種状態情報を逐次収集し、収集した状態情報を記憶部１３へ格納するとともに、その状態情報を監視している。各設備２は１つ以上の管理ポイントを有しており、個々の管理ポイントで、例えば温度、湿度、室内圧力など１種以上の状態情報が取得される。これら状態情報には、少なくともそのデータ値が検出された時刻を示す時刻情報が含まれている。
【００２０】
各状態情報には、その上限値または下限値、あるいはその両方が予め個別に設定されており、データ表示手段１１Ａは、これら上限値および下限値と各状態情報の値とを比較することにより、各状態情報を監視する（ステップ１００）。
ここで、任意の状態情報の値が対応する上限値または下限値から逸脱した場合は、その管理ポイントで異常が発生したと判断し（ステップ１００：ＹＥＳ）、画面表示部１５での画面表示により上下限警報を報知し、管理者に注意を促す（ステップ１０１）。
図３に上下限警報表示の画面表示例を示す。この例では、発生日時、発生場所（管理ポイント名／状態情報名）、警報種類などが表示されている。また、マウスやキーボードからなる操作入力部１４から管理者の操作を検出するためのＧＵＩ（Ｇｒａｐｈｉｃａｌ  Ｕｓｅｒ  Ｉｎｔｅｒｆａｃｅ）として、この上下限警報をオペレータが確認したことを指示するための確認ボタン６１が設けられている。
【００２１】
上下限警報を表示した後、その確認ボタンの押下による警報確認操作が操作入力部１４を介して検出された場合（ステップ１０２：ＹＥＳ）、データ表示手段１１Ａは、データ抽出手段１１Ｂを用いて、所定期間内に発生した警報の履歴を画面表示部１５での画面表示により表示出力する（ステップ１０３）。
図４に警報履歴表示の画面表示例を示す。ここでは、当日に発生した警報が一覧表６２で表示されている。各警報については、発生時刻、発生場所（管理ポイント名／状態情報名）、警報種類、および異常を示した状態情報の値が表示されている。また、ＧＵＩとして、各警報ごとにその数値やグラフの表示を指示するための操作ポイント６３，６４が設けられている。
【００２２】
図４の例では、第１研究室（管理ポイント）の室温（状態情報）について、「１４：５８：０５」と「１５：４１：２０」とに、上限値を逸脱した警報すなわち「ＨＩアラーム」が発生し、これら発生時点における室温は「２５．０」であったことが表示されている。
【００２３】
この警報履歴表示画面において、警報の発生した状態情報の時系列変化を確認して、その警報の原因を特定するため、当該警報に関する数値表示の操作ポイント６３による表示要求操作（確認指示）があった場合（ステップ１０４）、データ表示手段１１Ａは、データ抽出手段１１Ｂを用いて、当該警報が発生した時点を含むその前後期間の履歴データを近傍状態情報として記憶部１３から読み出し、画面表示部１５での画面表示により時系列順に表示出力する（ステップ１０５）。
図５に履歴データ表示（分データ）の画面表示を示す。この例では、警報が「１５：４１：２０」に発生していることから、その警報発生時点が含まれる時刻「１５：００」と、その前後の時刻「１４：００」，「１６：００」について、分単位の分データが時系列順で一覧表６５に表示されている。
【００２４】
また、この一覧表６５では、上限値および下限値を逸脱したデータについて、文字色、字体、フォント種別、文字サイズ、あるいは背景色などの表示形式を用いて、他の正常データと識別表示されており、管理者が容易に逸脱データを視認できる。
この一覧表６５では、各分データの表示マスに、ＧＵＩとして、当該時分における秒データの詳細表示を要求する操作ポイント６６が設けられている。その操作ポイント６６の操作により、任意の時分の分データが選択操作された場合（ステップ１０６：ＹＥＳ）、データ表示手段１１Ａは、データ抽出手段１１Ｂを用いて、当該時分における秒単位の秒データと、当該時分の前後分における秒データとを記憶部１３から読み出し、画面表示部１５での画面表示により時系列順に表示出力し（ステップ１０７）、一連のデータ表示処理を終了する。
【００２５】
図５において、時分「１５：４１」の操作ポイント６６Ａが操作された場合、図６に示す履歴データ表示（秒データ）が画面表示部１５で表示される。この例では、選択された時分「１５：４１」とその前後の時分「１５：４０」，「１５：４２」について、秒単位の秒データが時系列順で一覧表６７に表示されている。この一覧表６７においても、上限値および下限値を逸脱したデータについて、文字色、字体、フォント種別、文字サイズ、あるいは背景色などの表示形式を用いて、他の正常データと識別表示されており、管理者が容易に逸脱データを視認できる。
【００２６】
このように、本実施の形態では、制御部１１のデータ表示手段１１Ａで、報知した警報に対する確認指示に応じて、当該警報が発生した状態情報のうち、その警報発生の時点を含む所定期間の近傍状態情報を記憶部１３から読み出して表示出力するようにしたので、簡単な操作で警報を迅速かつ詳細に確認できる。
また、近傍状態情報を表示する際、状態情報のうち、当該時点の時刻における分単位の分データと、当該時点の前後時刻における分単位の分データとを、表示出力するようにしたので、警報が発生した状態情報を分単位で確認でき、警報の発生した状態情報の時系列変化を確認でき、その警報原因の特定に有用である。
【００２７】
さらに、表示出力した分データのうちの任意の分データに対する選択操作に応じて、状態情報のうち、選択された分データの当該時分における秒単位の秒データと、当該時分の前後分における秒データとを表示出力するようにしたので、変化の早い状態情報についても、簡単な操作で時系列変化を確認でき、その警報原因の特定に有用である。なお、上記所定期間（前後期間）すなわち近傍状態情報の時間的範囲については警報発生時点を含んでいればよく、警報発生時点の前後に位置する状態情報を含んでもよく、警報発生時点以前の状態情報のみ、あるいは警報発生時点以降の状態情報のみであってもよい。
【００２８】
なお、前述の説明では、状態情報の数値表示に関する表示例について説明したが、グラフ表示についても同様である。図７に履歴グラフ表示（分データ）の画面表示例を示す。また図８に履歴グラフ表示（秒データ）の画面表示例を示す。この際、図７のグラフ表示画面では、画面上で任意の時点位置をマウスでクリックすることにより、当該時分の分データに対する選択操作となり、その時分における秒単位の秒データと、当該時分の前後分における秒データとが図８のように表示される。
【００２９】
また、図２のステップ１００において異常発生が確認されなかった場合（ステップ１００：ＮＯ）、およびステップ１０２、１０４、１０６において、表示終了操作が行われた場合（ステップ１０２：ＮＯ、ステップ１０４：ＮＯ、ステップ１０６：ＮＯ）、一連のデータ表示処理を終了する。
【００３０】
次に、図９を参照して、本発明の第２の実施の形態にかかる施設管理装置について説明する。図９は第２の実施の形態にかかる施設管理装置のデータ表示処理を示すフローチャートである。
前述した第１の実施の形態では、警報発生時におけるデータ表示処理について説明したが、本実施の形態では、過去に得られた所望の状態情報すなわち履歴データを閲覧する場合のデータ表示処理について説明する。なお、施設管理装置１の構成については、前述した図１と同一である。
【００３１】
操作入力部１４から履歴データの表示を要求する操作が入力された場合、制御部１１のデータ表示手段１１Ａは、図１０に示す履歴データ表示画面（グラフ）を画面表示部１５から表示出力する。
図１０の例では、所望する履歴データの対象日を選択するためのカレンダー７１と、その管理ポイントを選択するためのツリー７２が表示されており、これらを操作して所望の履歴データの管理ポイントと対象日を指定する。
【００３２】
このようにして、管理ポイントと対象日とを指定した表示要求が行われた場合（ステップ１１０：ＹＥＳ）、データ表示手段１１Ａは、データ抽出手段１１Ｂを用いて、記憶部１３から対応する状態情報を読み出し、履歴データ表示画面のグラフ７３へ表示出力する（ステップ１１１）。また、その管理ポイントから収集された各状態情報に関する書式情報も一覧表７４に表示する。
図１０の例では、管理ポイントとして「第３研究室」が指定され、対象日として「２００３年３月２６日」が指定されている。そして、状態情報として、温度、湿度および室内圧力が記憶部１３から読み出され、グラフ７３に折れ線グラフとして表示されている。
【００３３】
また、一覧表７４には、各状態情報の単位、グラフ線種のほか、その時点に設定されていた上限値および下限値が表示されている。さらに、当該対象日内にその上限値または下限値を逸脱した逸脱データの有無が表示されており、警報発生の有無を容易に確認できる。これら書式情報は、当該状態情報とともに記憶部１３へ予め格納されている。
グラフ７３において、画面上で任意の時点位置をマウスでクリックすることにより、当該表示時点の状態情報に対する選択操作が行われた場合（ステップ１１２：ＹＥＳ）、データ表示手段１１Ａは、データ抽出手段１１Ｂを用いて、当該表示時点を含むその前後期間のデータを近傍状態情報として記憶部１３から読み出し、画面表示部１５での画面表示により時系列順に表示出力する（ステップ１１３）。
【００３４】
ここでは、前述した図５と同様に、当該時点の時刻における分単位の分データと、当該時点の前後時刻における分単位の分データとが、表示出力される。また、その分データ表示画面において、任意の分データが選択操作された場合は（ステップ１１４：ＹＥＳ）、前述した図６と同様に、その時分における秒単位の秒データと、当該時分の前後分における秒データとが画面表示部１５で表示され（ステップ１１５）、一連のデータ表示処理を終了する。
なお、当該表示時点の近傍状態情報を表示させるための操作としては、グラフ７３をクリックする方法以外に、例えば画面上の任意の位置に表示ボタンを設け、その表示ボタンの押下を契機として所望の近傍状態情報を表示させるようにしてもよい。
【００３５】
このように、本実施の形態では、制御部１１のデータ表示手段１１Ａで、管理ポイントおよび対象日を指定した表示要求に応じて、当該管理ポイントから対象日に収集された状態情報を記憶部１３から読み出し、グラフとして表示出力するとともに、グラフ表示した状態情報の詳細表示の時点を選択する選択指示に応じて、当該時点を含む所定期間の近傍状態情報を記憶部１３から読み出し表示出力するようにしたので、簡単な操作で任意の履歴データを迅速かつ詳細に確認できる。
また、近傍状態情報を表示する際、状態情報のうち、当該時点の時刻における分単位の分データと、当該時点の前後時刻における分単位の分データとを、表示出力するようにしたので、警報が発生した状態情報を分単位で確認でき、警報の発生した状態情報の時系列変化を確認でき、その警報原因の特定に有用である。
【００３６】
さらに、表示出力した分データのうちの任意の分データに対する選択操作に応じて、状態情報のうち、選択された分データの当該時分における秒単位の秒データと、当該時分の前後分における秒データとを表示出力するようにしたので、変化の早い状態情報についても、簡単な操作で時系列変化を確認でき、その警報原因の特定に有用である。なお、上記所定期間（前後期間）すなわち近傍状態情報の時間的範囲については警報発生時点を含んでいればよく、警報発生時点の前後に位置する状態情報を含んでもよく、警報発生時点以前の状態情報のみ、あるいは警報発生時点以降の状態情報のみであってもよい。
【００３７】
なお、前述の説明では、状態情報の数値表示に関する表示例について説明したが、グラフ表示についても同様であり、前述した図７，図８のようにグラフ表示してもよい。この際、図７のグラフ表示画面では、画面上で任意の時点位置をマウスでクリックすることにより、当該時分の分データに対する選択操作となり、その時分における秒単位の秒データと、当該時分の前後分における秒データとが図８のように表示されるようにしてもよい。
【００３８】
また、図９のステップ１１０において表示要求がなかった場合（ステップ１１０：ＮＯ）、およびステップ１１２、１１４において、表示終了操作が行われた場合（ステップ１１２：ＮＯ、ステップ１１４：ＮＯ）、一連のデータ表示処理を終了する。
なお、図１０の一覧表７４の逸脱データ欄に操作ポイント７５を設け、逸脱データがある場合には、その操作ポイント７５の操作に応じて、その警報発生時点を表示時点とした分データを表示するようにしてもよい。この際、前述した図５のように数値を一覧表示してもよく、図７のようにグラフ表示してもよい。
【００３９】
また、前述の説明では、指定された履歴データを図１０のようにグラフ表示する場合を例として説明したが、図１１に示すように、数値を一覧表示してもよい。この図１１の例では、温度、湿度、室内圧力の各状態情報の数値が、時刻単位で時系列順に一覧表示されている。また、各状態情報の単位、その時点に設定されていた上限値および下限値のほか、その対象日における各状態情報の最大値、最小値、平均値が表示されている。
【００４０】
さらに、各時刻の数値欄に隣接して、その時刻における上限値または下限値を逸脱した逸脱データの有無が表示されており、警報発生の有無を容易に確認できる。この際、上限値を逸脱した際のＨＩアラームは「Ｈ」で表示され、下限値を逸脱した際のＬＯＷアラームは「Ｌ」で表示される。
また、各数値欄や逸脱データ欄には操作ポイントが設けられており、その操作ポイントの操作に応じて、その表示時点の分データが表示される。この際、前述した図５のように数値を一覧表示してもよく、図７のようにグラフ表示してもよい。
【００４１】
なお、以上の各実施の形態では、施設管理装置１に設けられた操作入力部１４および画面表示部１５を用いて、所望の状態情報を確認する場合を例として説明したが、これに限定されるものではなく、通信ネットワーク５を介して端末４から所望の状態情報を確認するようにしてもよい。
この際、前述した各表示画面をＨＴＭＬなどのページ記述言語で生成するとともにＷｅｂ技術を利用して、端末４からの要求に応じて対応する表示画面をコンテンツとして配信するとともに、ＧＵＩにより端末操作を受け付け、所望の状態情報を端末４で画面表示すればよい。
【００４２】
【発明の効果】
以上説明したように、本発明は、制御部のデータ表示手段で、報知した警報に対する確認指示に応じて、当該警報が発生した状態情報のうち、その警報発生の時点を含む所定期間の近傍状態情報を記憶部から読み出して表示出力するようにしたものである。また、制御部のデータ表示手段で、管理ポイントおよび対象日を指定した表示要求に応じて、当該管理ポイントから対象日に収集された状態情報を記憶部から読み出し、グラフとして表示出力するとともに、グラフ表示した状態情報の詳細表示の時点を選択する選択指示に応じて、当該時点を含む所定期間の近傍状態情報を記憶部から読み出し表示出力するようにしたものである。
これにより、従来のように、その警報発生時点の前後の期間を指定して所望の状態情報を検索し、あるいは所定のデータ区分により警報発生に関係する状態情報を抽出するなど、各種オペレーション操作を行って所望の状態情報を表示させる必要がなくなる。したがって、簡単な操作で所望の状態情報を迅速かつ詳細に確認でき
【図面の簡単な説明】
【図１】本発明の一実施の形態にかかる施設管理装置の構成を示すブロック図である。
【図２】本発明の第１の実施の形態にかかる施設管理装置の動作を示すフローチャートである。
【図３】上下限警報の報知画面例である。
【図４】警報履歴表示画面例である。
【図５】履歴データ表示画面例（分データ）である。
【図６】履歴データ表示画面例（秒データ）である。
【図７】履歴グラフ表示画面例（分データ）である。
【図８】履歴グラフ表示画面例（秒データ）である。
【図９】本発明の第２の実施の形態にかかる施設管理装置の動作を示すフローチャートである。
【図１０】履歴データ表示画面例（グラフ）である。
【図１１】履歴データ表示画面例（数値）である。
【符号の説明】
１…施設管理装置、１１…制御部、１１Ａ…データ表示手段、１１Ｂ…データ抽出手段、１１Ｃ…データ収集手段、１２…通信Ｉ／Ｆ部、１３…記憶部、１３Ａ…プログラム、１４…操作入力部、１５…画面表示部、１６…音声出力部、１７…通信Ｉ／Ｆ部、２…設備、３…通信ネットワーク、４…端末、５…通信ネットワーク。
【図１】
2004341598.tif 000003
【図２】
2004341598.tif 000004
【図３】
2004341598.tif 000005
【図４】
2004341598.tif 000006
【図５】
2004341598.tif 000007
【図６】
2004341598.tif 000008
【図７】
2004341598.tif 000009
【図８】
2004341598.tif 000010
【図９】
2004341598.tif 000011
【図１０】
2004341598.tif 000012
【図１１】
2004341598.tif 000013